(57)【特許請求の範囲】
【請求項１】
ＧＳＭまたはＧＳＭ派生型のネットワーク（ＮＷ１）における方法であって、前記ネットワーク（ＮＷ１）が複数の無線基地局（ＢＴＳ１−ＢＴＳ８）と、それら基地局（ＢＴＳ１−ＢＴＳ８）と無線通信するための移動局（ＭＳ１）とを含んでおり、前記方法が次の工程：
−第１基地局（ＢＴＳ１）と移動局（ＭＳ１）との間の通信のために通信チャネル（ＣＨ１）を割り当てる工程（３０１）、
−前記通信チャネル（ＣＨ１）の割り当ての後で、連続する測定期間（Ｍ１−Ｍ２）に時間を分割する工程（３０２）、
−移動局（ＭＳ１）において、第１基地局（ＢＴＳ１）近辺にある基地局（ＢＴＳ２−ＢＴＳ８）によって送信されるＢＣＣＨ搬送波（ＢＣＣＨ２−ＢＣＣＨ８）の信号強度を測定する工程（３０３）、
−ＢＣＣＨ搬送波（ＢＣＣＨ２−ＢＣＣＨ８）の各々について、測定期間の各々（Ｍ１−Ｍ２）に亘って測定された信号強度の平均値（７０１）を形成する工程（３０５）、
−測定期間（Ｍ１−Ｍ２）の１つの終了後に、最も強いと認識されたＢＣＣＨ搬送波の信号強度平均値（７０１）を第１基地局（ＢＴＳ１）へ送信する工程（３０９）、
を含み、
移動局（ＭＳ１）において、次の付加的工程：
−測定期間（Ｍ１−Ｍ２）の１つに亘る信号強度平均値（７０１）を考慮しながら、測定された信号強度（５０１，７０１）に基づいて、直ぐに最も強いＢＣＣＨ搬送波の１つになるであろうと予測される未識別ＢＣＣＨ搬送波（ＢＣＣＨ４）を指摘する工程（３１３，３１４，３１９，３２１）、
−指摘されたＢＣＣＨ搬送波（ＢＣＣＨ４）の識別を開始して、前記ＢＣＣＨ搬送波（ＢＣＣＨ４）によって運ばれる識別情報（ＢＳＩＣ４）を移動局（ＭＳ１）に読ませる工程（３１５）、
が実行されることを特徴とする方法。
【請求項２】
請求項１記載の方法であって、前記未識別ＢＣＣＨ搬送波（ＢＣＣＨ４）の信号強度（５０１，７０１）を表すパラメータが、少なくとも２つの時点でどのように変化したかの比較に基づいて前記予測が行われることを特徴とする方法。
【請求項３】
請求項１または請求項２記載の方法であって、前記測定期間の最後の期間（Ｍ２）に亘る前記未識別ＢＣＣＨ搬送波（ＢＣＣＨ４）の信号強度（７０１）の平均値と、直前の測定期間（Ｍ１）に亘るＢＣＣＨ搬送波（ＢＣＣＨ４）の信号強度の平均値との比較に基づいて、前記信号強度平均値（７０１）の変化が予め定められたしきい値を超える時に、前記ＢＣＣＨ搬送波（ＢＣＣＨ４）が直ぐに最も強いＢＣＣＨ搬送波の１つになるであろうと予測するように前記予測が行われることを特徴とする方法。
【請求項４】
請求項１または請求項２記載の方法であって、次の工程：
−前記測定期間（Ｍ１−Ｍ２）をサブインターバル（Ｓ１−Ｓ４）に分割する工程（３１０）、
−前記ＢＣＣＨ搬送波（ＢＣＣＨ２−ＢＣＣＨ８）のうちの未識別のものについて測定された信号強度（５０１）について、サブインターバル（Ｓ１−Ｓ４）の各々に亘る平均値を形成する工程（３１２）、
を特徴とし、
前記サブインターバルの最後の期間（Ｓ２）に亘る前記未識別ＢＣＣＨ搬送波（ＢＣＣＨ４）の信号強度（５０１）の平均値と、先行するサブインターバル、好ましくは直前のサブインターバル（Ｓ１）に亘るＢＣＣＨ搬送波（ＢＣＣＨ４）の信号強度（５０１）の平均値との比較に基づいて、前記信号強度平均値の変化（６０１）が予め定められたしきい値（６０４）を超える時に、前記ＢＣＣＨ搬送波（ＢＣＣＨ４）が直ぐに最も強いＢＣＣＨ搬送波の１つになるであろうと予測するように前記予測が行われる、
方法。
【請求項５】
請求項１記載の方法であって、次の工程：
−前記測定期間（Ｍ１−Ｍ２）をサブインターバル（Ｓ１−Ｓ４）に分割する工程、
−サブインターバル（Ｓ１−Ｓ４）の各々に亘って前記ＢＣＣＨ搬送波（ＢＣＣＨ２−ＢＣＣＨ８）の各々について測定された信号強度（５０１）の平均値を形成する工程、
を特徴とし、
測定期間に亘る信号強度平均値（７０１）を考慮しながら、前記未識別ＢＣＣＨ搬送波（ＢＣＣＨ４）が直ぐに最も強いＢＣＣＨ搬送波の１つになるであろうとの予測が、前記サブインターバルの最後のもの（Ｓ３）に亘る信号強度平均値（５０１）を比較した時に、そのＢＣＣＨ搬送波（ＢＣＣＨ４）が最も強いＢＣＣＨ搬送波の１つであることが見いだされることに基づいて行われる、
方法。
【請求項６】
ＧＳＭ型またはＧＳＭ派生型のネットワーク（ＮＷ１）において、無線基地局（ＢＴＳ１−ＢＴＳ８）と通信するための移動局（ＭＳ１）であって、
−割り当てられた通信チャネル（ＣＨ１）上で、前記基地局の第１のもの（ＢＴＳ１）と通信するための通信手段（８０４−８１３，８１７−８２０，８２３−８２４）、
−前記第１基地局（ＢＴＳ１）の近辺にある基地局（ＢＴＳ２−ＢＴＳ８）によって送信されるＢＣＣＨ搬送波（ＢＣＣＨ２−ＢＣＣＨ８）の信号強度を測定するための測定手段（１００２）、
−一連の測定期間（Ｍ１−Ｍ２）の各々に亘ってＢＣＣＨ搬送波（ＢＣＣＨ２−ＢＣＣＨ８）の各々について測定された信号強度の平均値を形成するための第１平均化手段（１００１）、
−前記ＢＣＣＨ搬送波（ＢＣＣＨ４）によって運ばれる識別情報（ＢＳＩＣ４）を読むことによって、前記ＢＣＣＨ搬送波の１つ（ＢＣＣＨ４）の識別を決定するための識別手段（１００３）、
−前記測定期間（Ｍ１−Ｍ２）の１つの終了時に、前記通信手段（８０４−８１３，８１７−８２０，８２３−８２４）を使って、最も強い識別されたＢＣＣＨ搬送波の信号強度平均値（７０１）を前記第１基地局（ＢＴＳ１）へ送信するための測定データ報告手段（１００４）、
を含み、前記移動局が更に：
−測定期間（Ｍ１−Ｍ２）の１つに亘る信号強度平均値（７０１）を考慮しながら、測定された信号強度（５０１，７０１）に基づいて、直ぐに最も強いＢＣＣＨ搬送波の１つになることが予測される未識別ＢＣＣＨ搬送波（ＢＣＣＨ４）を指摘するための手段（１００１）、
を含むことを特徴とし、
前記識別手段（１００３）が、指摘された前記未識別ＢＣＣＨ搬送波（ＢＣＣＨ４）の識別を開始するように構成されている、
移動局。
【請求項７】
請求項６記載の移動局（ＭＳ１）であって、
指摘するための前記手段（１００１）が、前記未識別ＢＣＣＨ搬送波（ＢＣＣＨ４）の信号強度（５０１，７０１）を表すパラメータが、少なくとも２つの時点でどのように変化したかという比較に基づいて前記予測を行わせるように構成されていること、
を特徴とする移動局。
【請求項８】
請求項６または請求項７記載の移動局（ＭＳ１）であって、
指摘するための前記手段（１００１）が、前記測定期間の最後のもの（Ｍ２）に亘る前記未識別ＢＣＣＨ搬送波（ＢＣＣＨ４）の信号強度（７０１）の平均値と、直前の測定期間（Ｍ１）に亘るＢＣＣＨ搬送波（ＢＣＣＨ４）の信号強度（７０１）の平均値との比較に基づいて、もし信号強度平均値（７０１）の変化が予め定められたしきい値を超えていれば、前記ＢＣＣＨ搬送波（ＢＣＣＨ４）が直ぐに最も強いＢＣＣＨ搬送波の１つになるであろうと予測するように構成されていること、
を特徴とする移動局。
【請求項９】
請求項６または請求項７記載の移動局（ＭＳ１）であって、
前記移動局（ＭＳ１）が更に、前記ＢＣＣＨ搬送波（ＢＣＣＨ２−ＢＣＣＨ８）のうちの少なくとも未識別のものについて測定された信号強度（５０１）の、前記測定期間（Ｍ１−Ｍ２）のサブインターバル（Ｓ１−Ｓ４）に亘る平均値を形成する第２の平均化手段（１００１）を含んでいること、および、指摘するための前記手段（１００１）が、前記サブインターバルの最後のもの（Ｓ２）に亘る前記未識別ＢＣＣＨ搬送波（ＢＣＣＨ４）の信号強度（５０１）の平均値と、先行するサブインターバル、好ましくは直前のサブインターバル（Ｓ１）に亘るＢＣＣＨ搬送波（ＢＣＣＨ４）の信号強度（５０１）の平均値との比較に基づいて、もし信号強度平均値の変化（６０１）が予め定められたしきい値（６０４）を超えていれば、前記ＢＣＣＨ搬送波（ＢＣＣＨ４）が直ぐに最も強いＢＣＣＨ搬送波の１つになるであろうと予測するように構成されていること、
を特徴とする移動局。
【請求項１０】
請求項６記載の移動局であって、
前記移動局（ＭＳ１）が更に、前記ＢＣＣＨ搬送波（ＢＣＣＨ２−ＢＣＣＨ８）について測定された信号強度（５０１）の、前記測定期間（Ｍ１−Ｍ２）のサブインターバル（Ｓ１−Ｓ４）に亘る平均値を形成するための第２平均化手段（１００）を含んでいること、
を特徴とし、更に
指摘するための前記手段（１００１）が、前記サブインターバルの最後のもの（Ｓ３）に亘る信号強度平均値（５０１）の比較において、前記未識別ＢＣＣＨ搬送波（ＢＣＣＨ４）が最も強いＢＣＣＨ搬送波の１つであることに基づいて前記予測が行われるように構成されている、
移動局。
【発明の詳細な説明】
技術分野
本発明は、ＧＳＭタイプまたはＧＳＭから派生したタイプの通信ネットワークで使用するための移動局および方法に関する。本発明は１つのセルから別のセルへのより迅速なハンドオーバーを可能とする。
従来技術
ＧＳＭ（移動通信用グローバルシステム）ネットワークでは、アクティブなセル中で双方向的（無線）通信チャネルによって運ばれる呼が確立している移動局が、別のセルへ移動する時に切断されないことが重要である。その呼をその別のセルでも保持するためには、その別のセル中の通信チャネルへ通信チャネルの変更を行わなければならない。現在呼が進行している間に通信チャネルを変更する機能をハンドオーバーと呼ぶ。
ハンドオーバーを開始する判断は、なかでも移動局から報告される測定データに基づいてＧＳＭネットワーク中で行われる。移動局はアクティブなセルの近辺にあるセルにサービス提供している基地局から送信されるいわゆるＢＣＣＨ搬送波の信号強度を測定する。１つの測定期間に亘って前記ＢＣＣＨ搬送波の各々について信号強度の平均値が形成され、最も強い６個のＢＣＣＨ搬送波の信号強度平均値がＧＳＭネットワークへ報告される。特定の１つのＢＣＣＨ搬送波に関する信号強度を移動局が報告できる前に、その移動局はこのＢＣＣＨ搬送波を識別しなければならない。ＢＣＣＨ搬送波の識別は、１つの測定期間中に得られた信号強度平均値を比較して、その搬送波が最も強い６個のＢＣＣＨ搬送波のうちの１つであることを確認した後で開始される。ＢＣＣＨ搬送波の識別にはおよそ１ないし数秒間を要する。この時間長は、そのＢＣＣＨ搬送波の信号強度が報告に値するものであることが判明した時点から、その移動局がそのＢＣＣＨ搬送波の信号強度を報告できる時点までの、それに対応する遅延をもたらす。
英国特許明細書第ＧＢ−２，２２５，１９６号は、サービス提供している基地局が周辺セル中にチャネルをリザーブできるセルラー無線システムについて述べている。周辺セルのうちの１つのセル中にある基地局へのハンドオーバー時には、リザーブされていたチャネルが使用でき、このことによってハンドオーバーの決定からハンドオーバー終了までの時間が短縮される。
米国特許明細書第ＵＳ−５，３７９，４４６号はセルラー無線システムを開示している。移動局はアクティブなセル中の基地局および周辺セル中の基地局から受信される信号強度を測定する。移動局には、受信した信号の各々について長時間および短時間に亘る信号強度平均値を形成するための手段が備えられている。移動局では、サービス基地局についてその２つの信号強度平均値が周辺セル中の基地局についての対応する信号強度と比較される。移動局は、周辺セル中の基地局から受信した信号強度が、サービス基地局から受信した信号強度よりも一定のヒステリシスマージンと呼ばれる値以上に大きい時に、前記セルへのハンドオーバーを開始する。短時間に亘る信号強度平均値を比較する時には、長時間に亘る信号強度平均値を比較する時に用いられるヒステリシスマージンよりも大きいヒステリシスマージンが適用される。
発明の概要
本発明は、移動局が１つのＢＣＣＨ搬送波についての信号強度平均値がネットワークへ報告に値するものであることを見いだす時点から、その移動局がそのＢＣＣＨ搬送波を識別しその信号強度平均値を報告できる時点までの時間遅延を短縮する問題に取り組んでいる。
このように、本発明の目的は、移動局がアクティブなセルの近辺にあるセルについての測定データをより迅速に報告できるようにすることである。
この問題は、一般的には、受信された１つのＢＣＣＨ搬送波がたぶん直ぐに最も強いＢＣＣＨ搬送波の１つになるであろうことが移動局の中で予測された時に、その搬送波の識別を移動局が開始するようになった方法によって解決される。本発明はその方法と、その方法を実現するために必要な手段を有する移動局との両方に関する。
もっと詳細には、本問題は次のようにして解決される。移動局と第１の基地局との間の通信のために１つの通信チャネルが割り当てられる。移動局は、第１基地局の近辺にある基地局から受信されるＢＣＣＨ搬送波の信号強度を測定して、複数の引き続く測定期間の各々に亘り、それらの信号強度の平均値を形成する。移動局は、識別の確立した最も強いＢＣＣＨ搬送波に関しての信号強度平均値を送信する。移動局は、受信ＢＣＣＨ搬送波、複数の測定期間のうちの１つの間の信号強度平均値を検討した場合、１つの受信ＢＣＣＨ搬送波が直ぐに最も強いＢＣＣＨ搬送波の１つになるはずであることが、予め定められたルールに従って予測される時に、その受信ＢＣＣＨ搬送波の識別を開始する。
本発明の１つの特徴は、信号強度平均値を考慮した時、１つのＢＣＣＨ搬送波が最も強いＢＣＣＨ搬送波の１つになった時点から、そのＢＣＣＨ搬送波が識別されるまでの遅延が、多くの場合に短縮され、いくつかの場合には消滅するということである。従って、移動局はそのＢＣＣＨ搬送波に関する測定データをより迅速に報告することができて、対応するセルへのハンドオーバーをより迅速に行うことができる。ハンドオーバーをより迅速に行うことができるため、無線状態が急に変動する状況において、確立された呼を保持する可能性が向上する。そのような状況の例は、高層ビル街で角を曲がった時や、地下鉄の駅へ入った時などである。
本発明はここに好適実施例を取り上げて、また添付図面を参照しながら詳細に説明することにする。
【図面の簡単な説明】
図１Ａおよび図１Ｂは、ＧＳＭネットワークの部分図。
図２は、５１マルチフレームのブロック図。
図３Ａは、従来技術で、既知の方法工程に対応するフローチャート。
図３Ｂは、図３Ａと一緒に、本発明に従う方法の第１実施例を示すフローチャート。
図３Ｃは、図３Ａと一緒に、本発明に従う方法の第２実施例を示すフローチャート。
図３Ｄは、本発明に従う方法の第３実施例を示すフローチャート。
図４は、測定期間およびサブインターバルへ時間を分割する様子を示す時間図。
図５Ａないし図５Ｄは、１組のＢＣＣＨ搬送波に関する信号強度の、図４のサブインターバルの各々に亘る平均値を示す棒グラフ。
図６は、１つのＢＣＣＨ搬送波について、信号強度平均値の成長を示す棒グラフ。
図７Ａおよび図７Ｂは、１組のＢＣＣＨ搬送波に関する信号強度の、図４に示される測定期間の各々に亘る平均値を示す棒グラフ。
図８は、本発明の移動局のハードウエアを示すブロック図。
図９は、図１０中のコーディネータ機能ブロックの機能の一部を示すフローチャート。
図１０は、本発明の移動局の機能的ブロック図。
実施例の詳細な説明
図１Ａは、ＧＳＭネットワークＮＷ１の一部と、ネットワークＮＷ１などに見られる異なるタイプのユニットのサブセットを示す。このネットワークによってカバーされる地理的エリアは、セルＣ１−Ｃ５に分割される。個々のセルは一定のエリアを無線でカバーしており、それに対してそのエリアでの通信用として１組の周波数を割り当てている。各セルＣ１−Ｃ５は、現時点でそのセル中に位置する移動局ＭＳ１と無線通信するための手段を有する基地送信局ＢＴＳ１−ＢＴＳ５によってサービス提供される。移動局ＭＳ１が見いだされるセルＣ１はサービスセルと呼ばれ、対応する基地局ＢＴＳ１はサービス基地局と呼ばれる。移動局ＭＳ１は、ネットワークＮＷ１中の基地局ＢＴＳ１−ＢＴＳ５と通信するための手段を含み、ＧＳＭネットワークＮＷ１によって提供される通信サービスへアクセスするために、加入者によって使用される。一部の基地局ＢＴＳ１−ＢＴＳ３は基地局コントローラＢＳＣ１によって制御される。複数の基地局コントローラＢＣＳ１−ＢＣＳ２は移動サービス交換センターＭＳＣとして知られる交換機ＭＳＣ１によって制御される。交換機ＭＳＣ１は、交換機ＭＳＣ１によってサービス提供されるエリアにある移動局ＭＳ１との間で呼を接続する責務を持つ。
移動局ＭＳ１との間で呼が確立されれば、移動局ＭＳ１とサービス基地局ＢＴＳ１との間の無線通信のために通信チャネルＣＨ１が割り当てられる。その呼の間にもしもその移動局ＭＳ１が第２のセルＣ４へ移動すれば、その呼を切断しないようにするためには、その第２セルＣ４で新しい通信チャネルＣＨ４が割り当てられなければならない。確立した呼の間に、通信チャネルを変更する機能をハンドオーバーと呼ぶ。ハンドオーバーを開始する決定は、サービス基地局ＢＴＳ１を制御している基地局コントローラＢＳＣ１によって行われる。
基地局コントローラＢＳＣ１がハンドオーバーについて決断する前に、移動局ＭＳ１はまずハンドオーバーのためにどのセルが候補として適しているかを報告しなければならない。移動局は、周辺セルＣ２−Ｃ５中の基地局ＢＴＳ２−ＢＴＳ５によって送信されるいわゆるＢＣＣＨ搬送波ＢＣＣＨ２−ＢＣＣＨ５の信号強度を測定する。ＢＣＣＨ搬送波ＢＣＣＨ２−ＢＣＣＨ５の各々について、１つの測定期間に亘って信号強度平均値が形成され、最も強いいくつかのＢＣＣＨ搬送波の平均値が基地局コントローラＢＳＣ１へ報告される。移動局ＭＳ１が特定のＢＣＣＨ搬送波ＢＣＣＨ４の信号強度を報告できる前に、移動局ＭＳ１は、ＧＳＭの仕様に従って、そのＢＣＣＨ搬送波ＢＣＣＨ４を識別しなければならない。このことは、ＢＣＣＨ搬送波ＢＣＣＨ４によって運ばれる識別情報ＢＳＩＣ４を移動局が読むことによって行われる。
図２は、ＢＣＣＨ搬送波ＢＣＣＨ４のタイムスロット・ゼロが各種の論理チャネルを運ぶためにどのように使用されているかを示す。この図は、論理チャネルを運ぶために、５１個のマルチフレームに分割された時分割多元接続（ＴＤＭＡ）フレーム２００をどのように使用するかを示している。論理チャネルは、周波数修正制御チャネル（ＦＣＣＨ）２０１および同期チャネル（ＳＣＨ）２０２を含む。周波数修正チャネル２０１は移動局ＭＳ１の周波数修正のための情報を運ぶ。同期チャネル２０２は移動局ＭＳ１の同期のための情報と、上で述べた識別情報ＢＳＩＣ４を基地局識別コード（ＢＳＩＣ）の形で運ぶ。周波数修正制御チャネル２０１および同期チャネル２０２に加えて、５１個のマルチフレーム２００はまた、共通制御チャネル（ＣＣＣＨ）および放送制御チャネルＢＣＣＨの論理チャネルも含む。ＧＳＭのチャネル構造のこれ以上の詳細については、ＧＳＭ仕様書ＧＳＭ０５．０１およびＧＳＭ０５．０２に記載されている。
移動局ＭＳ１が搬送波の識別すなわちＢＳＩＣを決定できるためには、まず周波数修正制御チャネル２０１を、次に同期チャネル２０２を検出および復号化しなければならない。ＢＣＣＨ搬送波ＢＣＣＨ４の識別の決定には数秒の時間を要するであろう。
適当なハンドオーバー候補を報告するために用いられるメッセージ中には、６個までのＢＣＣＨ搬送波について測定データを報告するスペースがある。
通常の移動局は、既知の１つのＢＳＩＣと一緒に、最も強い６個のＢＣＣＨ搬送波について測定データを報告する。
マルチバンド移動局に関しては、マルチバンドレポートと呼ばれるパラメータを用いて、測定データを報告すべきＢＣＣＨ搬送波が決められる。従って、選択基準は修正することができて、信号強度平均値に加えて各ＢＣＣＨ搬送波が所属する周波数バンドも考慮に入れて選択することができる。
移動局からの測定データの報告に関するこれ以上の詳細はＧＳＭ仕様書ＧＳＭ０５．０８に述べられている。
説明を簡略化するために、以下では、本発明を通常タイプの移動局に適用することを想定して説明を行う。そこにおいては、既知のＢＳＩＣと一緒に最も強い６個のＢＣＣＨ搬送波に関する測定データが移動局によって報告される。別の選択基準を適用して、本発明をマルチバンドの移動局で利用するやり方は当業者には明らかであろう。
従来技術の移動局では、未識別ＢＣＣＨ搬送波の識別は、１つの測定期間に亘る信号強度平均値を比較した結果、このＢＣＣＨ搬送波がＢＣＣＨ搬送波の１つになった後で開始されるようになっている。移動局は、それがそのＢＣＣＨ搬送波についての測定データを基地局コントローラに対して報告できる前に、そのＢＣＣＨ搬送波を識別しなければならないため、そのＢＣＣＨ搬送波が最も強いＢＣＣＨ搬送波のうちに含まれ、従ってそのＢＣＣＨ搬送波についての測定データを報告することが望ましいことが分かった時点から、移動局がそのＢＣＣＨ搬送波についての測定データを基地局コントローラへ報告できる時点までに遅延が生ずる。
場合によって、例えば移動局のユーザーが高層ビル街で角を曲がったり、あるいは地下鉄の駅へ入ったりした時は、無線通信の状態が急速に変化する。そのような状況では、サービス基地局への無線接続は急速に劣化して、新しい基地局の信号強度が急速に成長するかもしれない。そのような状況で、確立されている呼を保持するためには、その新しい基地局へのハンドオーバーを迅速に実行できることが非常に重要である。既に述べた遅延はハンドオーバーを遅らせる原因となるため、この遅延を減らすことが好ましい。
本発明の基本的なアイデアは、ＢＣＣＨ搬送波が、１つの測定期間に亘る信号強度平均値に関して最も強いＢＣＣＨ搬送波の１つとなるまでＢＣＣＨ搬送波の識別開始を待つのではない。そうではなくて、１つの測定期間に亘る信号強度平均値に関してそのＢＣＣＨ搬送波が直ぐに最も強いＢＣＣＨ搬送波の１つになることが、測定された信号強度に基づいて予測された時にそのＢＣＣＨ搬送波の識別は開始される。このように、ＢＣＣＨ搬送波の識別はその信号強度平均値が成長している間に行われるため、遅延を短縮し、ある場合には消滅させることが可能となる。
図３Ａおよび図３Ｂは本発明に従う方法の第１実施例のフローチャートである。
図３Ａは、工程３０１において第１基地局と移動局との間の通信用としてどのように通信チャネルが割り当てられるかを示している。ＧＳＭ用語では通信チャネルは、２つの論理チャネル：トラヒックチャネル（ｔｒａｆｆｉｃ  ｃｈａｎｎｅｌ）ＴＣＨと低速付随制御チャネル（ｓｌｏｗ  ａｓｓｏｃｉａｔｅｄ  ｃｏｎｔｒｏｌ  ｃｈａｎｎｅｌ）ＳＡＣＣＨを運ぶ１つの物理チャネルから構成される。トラヒックチャネルは音声やデータ等のユーザー情報を転送するために用いられ、他方、付随制御チャネルは、なかでも、上で述べたＢＣＣＨ搬送波の信号強度平均値を報告するために用いられる。これ以上の詳細についてはＧＳＭ０５．０１およびＧＳＭ０５．０２を参照のこと。
通信チャネルの割り当てに関連して、工程３０２では連続的な測定期間に時間が分割される。それらの長さはＳＡＣＣＨマルチフレーム１個に対応する。この場合、ＳＡＣＣＨマルチフレームは、４８０ミリ秒の幅に対応する１０４個のＴＤＭＡフレームから構成される。
工程３０２の後で、フローチャートは並行的な分岐に分かれる。これは、各分岐の方法工程はその他の分岐の方法工程と同時に実行されると解釈されるべきものである。
工程３０３では、移動局は第１基地局から受信したＢＣＣＨ割り当て（ＢＡ）リストに含まれるＢＣＣＨ搬送波の各々についての信号強度を測定する。ネットワークオペレータはどのＢＣＣＨ搬送波をＢＡリストに載せるかを決定する。ときによって、ＢＡリストはアクティブセル中のＢＣＣＨ搬送波を含むように指定されて、移動局がこのＢＣＣＨ搬送波についても測定と測定データの報告とを実行する場合もある。ＢＣＣＨ搬送波は１つずつ逐次的に測定され、そのシーケンスが終わると次の新しいシーケンスがスタートする。測定は、割り当てられた通信チャネルに属する送信タイムスロットと、後続の受信タイムスロットとの間に行われる。
工程３０４は測定期間が終了するまで待機することを示している。
工程３０５では、工程３０３で測定期間中に得られた測定値を用いて、ＢＣＣＨ搬送波の各々について終了した測定期間に亘る信号強度平均値が形成される。
工程３０６では、最も強い６個のＢＣＣＨ搬送波のうちのどれかが未識別ではないかどうかがチェックされる。もしそのようなものがあれば（結果がＹＥＳであれば）、工程３０７で未識別ＢＣＣＨ搬送波の識別が開始される。
工程３０７の後で、あるいはもし工程３０６で最も強い６個のＢＣＣＨ搬送波の中に未識別のＢＣＣＨ搬送波がなければ（結果がＮＯであれば）、工程３０８で信号強度平均値を報告すべきＢＣＣＨ搬送波が選ばれる。ＢＳＩＣが既知の、６個（まで）の最も強いＢＣＣＨ搬送波の信号強度平均値が次に報告される。
工程３０９では、選ばれたＢＣＣＨ搬送波の各々について、終了した測定期間に亘る信号強度平均値およびＢＳＩＣの第１基地局への通信が向けて開始される。この情報は低速付随制御チャネルに載せて、次の測定期間に転送される。もしその制御チャネルが次の測定期間に他の情報を転送するために必要であれば、この測定データは送信されない。しかし、測定データは常に、少なくとも測定期間１つおきには報告される。
工程３０９の後、手順は工程３０４へ戻り、次の測定期間が終了するのを待つ。
図３Ａに示される方法工程３０１−３０９は従来技術の移動局で発生することに対応している。図３Ｂは本発明に従う新しい方法工程３１０−３１５を示している。
工程３１０では、各測定期間の複数のサブインターバルへの分割が行われる。
工程３１１は、サブインターバルが終了するまで待つことを示している。
工程３１２では、サブインターバル間に工程３０３で得られた測定値を用いて、未識別ＢＣＣＨ搬送波の各々について、終了したサブインターバルに亘る信号強度平均値が形成される。
工程３１３では、未識別ＢＣＣＨ搬送波の各々について、サブインターバルに亘る信号強度平均値が、直前のサブインターバルに亘る信号強度平均値と比較される。もしＢＣＣＨ搬送波の任意のものの信号強度平均値が、第１の予め定められたしきい値以上に成長していれば（結果がＹＥＳであれば）、測定期間に亘る信号強度平均値を考えれば、このＢＣＣＨ搬送波はたぶん直ぐに最も強いＢＣＣＨ搬送波の１つとなるであろうと推測される。
もしも工程３１３で、第１しきい値以上の値だけ増大した信号強度平均値を有する未識別のＢＣＣＨ搬送波が見つからなければ（結果がＮＯであれば）、工程３１４で未識別ＢＣＣＨ搬送波の各々についてのサブインターバルに亘る信号強度平均値が、サブインターバル２個分先行するサブインターバルに亘る信号強度平均値と比較される。もしいずれかのＢＣＣＨ搬送波の信号強度平均値が第２の予め定められたしきい値よりも大きい値だけ増大していれば（結果がＹＥＳであれば）、測定期間に亘る信号強度平均値を考慮して、このＢＣＣＨ搬送波がたぶん直ぐに最も強いＢＣＣＨ搬送波の１つになるであろうと推測される。
第１しきい値は、工程３１３における比較において、最後のサブインターバルに亘って信号強度が大幅に増大していればそのＢＣＣＨ搬送波が指摘されるように選ばれる。第２しきい値は、最後の２つのサブインターバルのいずれかの間で十分高速に成長しているとは工程３１３で指摘されなかったものの、もし工程３１４での比較において最後の２つのサブインターバルで信号強度が大幅に増大していれば、そのＢＣＣＨ搬送波が指摘されるように設定される。
しきい値を選ぶ時に、未識別のＢＣＣＨ搬送波を間違えて選んでしまう危険性を最小化するために、高速フェージングの効果を考慮に入れることが重要である。
工程３１３または３１４で、もしも１つのＢＣＣＨ搬送波が、たぶん直ぐに測定期間に亘る測定で最も強い６個のＢＣＣＨ搬送波のうちの１つになるであろうと指摘されれば、たぶんその指摘されたＢＣＣＨ搬送波の測定データが報告されることになるであろう。従って、工程３１５でそのＢＣＣＨ搬送波の識別が開始される。
もし工程３１３または３１４でそれぞれ１個以上のＢＣＣＨ搬送波が、信号強度平均値において、それぞれ第１または第２のしきい値以上に急速な成長をしていることが見いだされれば、工程３１５では、最も急速な信号強度の成長を有したＢＣＣＨ搬送波の識別が開始される。
工程３１５の後、あるいは工程３１４の比較においてもし未識別ＢＣＣＨ搬送波が指摘されなければ、手順は工程３１１へ戻って次のサブインターバルが終了するのを待つ。方法工程３０３、３０４−３０９および３１０−３１４は、割り当てられたチャネルが解放されるまで繰り返される。
上述の本発明の方法では、未識別ＢＣＣＨ搬送波の識別は、そのＢＣＣＨ搬送波がたぶん直ぐに最も強いＢＣＣＨ搬送波の１つになるであろうと推測された時（工程３１５）にだけ開始されるのではない。測定期間に最も強いＢＣＣＨ搬送波の１つであることが判明した未識別ＢＣＣＨ搬送波の識別もまた当業者には既知のやり方で開始される（工程３０７）。
図３Ａおよび図３Ｂに関連して説明した本発明の方法は、図１Ａおよび図１Ｂに示されるネットワークＮＷ１中で実現されることが想定されている。図３Ａおよび図３Ｂに示される方法工程は、工程３０１を除いて、移動局ＭＳ１で完全に実現される。工程３０１はネットワークＮＷ１中の他の装置と一緒に共同で実行される。
図１Ｂは、ネットワークＮＷ１が図１Ａに示されるセルＣ１−Ｃ５に加えて３個のセルＣ６−Ｃ８を含んでいることを示している。セルＣ６−Ｃ８は基地送信局ＢＴＳ６−ＢＴＳ８によってサービスを受けており、それぞれＢＣＣＨ搬送波ＢＣＣＨ６−ＢＣＣＨ８を送信する。図１Ｂはまた、セル相互の位置関係をより詳細に示している。セルＣ４は破線で区切られているが、地下鉄駅を無線でカバーする。移動局ＭＳ１がセルＣ１中にある時に呼が確立されて、次に、移動局ＭＳ１はセルＣ４へ移動する。
図４は、移動局ＭＳ１において、通信チャネルＣＨ１の割り当ての後で、どのように時間Ｔが測定期間およびサブインターバルに分割されるかを示す。図４は２つの引き続く測定期間Ｍ１−Ｍ２を示しており、それらは各々、２つのサブインターバルＳ１−Ｓ２、Ｓ３−Ｓ４に分割される。サブインターバルＳ１−Ｓ４は同じ長さであり、それぞれ測定期間の半分に対応する。
複数の時点Ｔ１−Ｔ５が時間軸Ｔに沿って示されており、それらはサブインターバルＳ１−Ｓ４の始まりと終わりとのマークとなっている。添え字が奇数の時点、Ｔ１、Ｔ３、Ｔ５はまた、測定期間Ｍ１−Ｍ２の始まりと終わりのマークでもある。添え字が偶数の時点、Ｔ２、Ｔ４は測定期間Ｍ１−Ｍ２の中間点を示すマークである。
上で述べたように、移動局ＭＳ１はサービス基地局ＢＴＳ１から受信したＢＡリストにあるＢＣＣＨ搬送波の各々について信号強度を測定する。ここの例では、ＢＡリストは図１Ｂに示されるＢＣＣＨ搬送波ＢＣＣＨ２−ＢＣＣＨ８を含んでいることが想定されている。
得られた測定値は、各サブインターバルＳ１−Ｓ４および各測定期間Ｍ１−Ｍ２の両方に亘る信号強度平均値を形成するために用いられる。
図５Ａ−図５Ｄは、サブインターバルＳ１−Ｓ４に亘る多様な信号強度平均値を示している。図５Ａは、ＢＡリストにあるＢＣＣＨ搬送波ＢＣＣＨ２−ＢＣＣＨ８の各々について、サブインターバルＳ１に亘って移動局ＭＳ１によって決定された信号強度平均値を示す棒グラフである。このサブインターバルに亘る最も強い６個のＢＣＣＨ搬送波ＢＣＣＨ２−ＢＣＣＨ３、ＢＣＣＨ５−ＢＣＣＨ８はまた、先行の測定期間に亘っても最も強い６個のＢＣＣＨ搬送波であること、および現在の測定期間Ｍ１において移動局ＭＳ１はそれらのＢＣＣＨ搬送波の測定データをサービス基地局ＢＴＳ１を通して基地局コントローラＢＳＣ１へ報告することが想定されている。図５Ｂ−図５Ｄは各サブインターバルＳ２−Ｓ４（棒グラフの順序は図５Ａと同じ）の各々について、対応する情報を示している。図５Ａ−図５Ｄでは、図５Ａで最も弱いＢＣＣＨ搬送波ＢＣＣＨ４の信号強度平均値が、他のＢＣＣＨ搬送波が減衰する一方で、どのように成長するかが分かる。信号強度の成長は特にサブインターバルＳ２で顕著であり、図５Ａと図５Ｂとの間の変化に対応している。
図４の時点Ｔ３、すなわちサブインターバルＳ２が終了した時点で、未識別ＢＣＣＨ搬送波ＢＣＣＨ４について、サブインターバルＳ２に亘る信号強度平均値と、直前のサブインターバルＳ１に亘る信号強度平均値（図３Ｂの工程３１３）との比較が行われる。信号強度平均値の差が、図６に第１の棒６０１で示されている。時点Ｔ４で行われた、インターバルＳ３とＳ２とに亘る信号強度平均値の対応する比較の結果が第２の棒６０２で示されている。時点Ｔ５における、サブインターバルＳ４とＳ３との信号強度平均値比較の結果は第３の棒６０３で示されている。第１しきい値６０４が破線で示されている。従って、図６から分かるように、第１の棒６０１で表される、インターバルＳ１とＳ２との間での信号強度平均値の成長は第１しきい値６０４を超えている。従って、移動局ＭＳ１は、図４の時点Ｔ３において、未識別ＢＣＣＨ搬送波ＢＣＣＨ４の識別を開始するであろう。
図７Ａおよび図７Ｂはそれぞれ、測定期間Ｍ１およびＭ２の後の信号強度平均値を示す。図７Ａから分かるであろうが、未識別ＢＣＣＨ搬送波ＢＣＣＨ４は、測定期間Ｍ１に亘る信号強度平均値の比較では最も強い６個のＢＣＣＨ搬送波に含まれていない。図７Ｂは、上述のＢＣＣＨ搬送波ＢＣＣＨ４が測定期間Ｍ２に亘る信号強度平均値の比較において最も強い６個のＢＣＣＨ搬送波の中に含まれていることを示している。このように、従来技術の移動局は、ＢＣＣＨ搬送波ＢＣＣＨ４の識別を測定期間Ｍ２が終了した後、すなわち時点Ｔ５において開始するであろう。このことは本発明の移動局ＭＳ１と比べられるべき点である。本発明は、上述のことに従えば、ＢＣＣＨ搬送波ＢＣＣＨ４の識別を時点Ｔ３に開始する。
注意すべきことは、図５Ａ−図５Ｄ、図６、および図７Ａ−図７Ｂは本発明の原理を示すためのものでしかなく、信号強度レベルおよび第１しきい値の実際の値を示すものと受け取るべきではない。
本発明の移動局ＭＳ１は：
−割り当てられた通信チャネルＣＨ１上でサービス基地局ＢＴＳ１と通信するための通信手段、
−サービス基地局の近辺にある基地局によって送信されるＢＣＣＨ搬送波ＢＣＣＨ２−ＢＣＣＨ８の信号強度を測定するための測定手段、
−前記測定期間Ｍ１−Ｍ２の各々におけるＢＣＣＨ搬送波ＢＣＣＨ２−ＢＣＣＨ８について信号強度平均値７０１を形成するための第１平均化手段、
−測定期間Ｍ１−Ｍ２の前記サブインターバルＳ１−Ｓ４におけるＢＣＣＨ搬送波ＢＣＣＨ２−ＢＣＣＨ８について測定された信号強度の信号強度平均値５０１を形成するための第２平均化手段、
−上で述べたように、測定期間の１つにおける信号強度平均値を考慮して、未識別ＢＣＣＨ搬送波（開示実施例ではＢＣＣＨ４）がたぶん直ぐに最も強いＢＣＣＨ搬送波の１つになるであろうことを指摘するための手段、
−未識別ＢＣＣＨ搬送波、例えば指摘された未識別ＢＣＣＨ搬送波ＢＣＣＨ４を識別するための識別手段、
−測定期間の１つが終了した時に、その測定期間の最も強い６個のＢＣＣＨ搬送波についての信号強度平均値をサービス基地局ＢＴＳ１へ報告するための測定データ報告手段、
を含む。
移動局ＭＳ１についてのより詳細な説明は、以下に図８−図１０に関して与えられよう。
図８は移動局ＭＳ１のハードウエア的ブロック図である。移動局ＭＳ１は記録される音をアナログ電気信号へ変換するマイクロホン８０１を含む。アナログ・デジタル（Ａ／Ｄ）変換器８０２はマイクロホン８０１からのアナログ信号をデジタル情報へ変換する。音声エンコーダ８０３はＡ／Ｄ変換器８０２からのデータフロー出力を圧縮する。音声エンコーダ８０３の後にチャネルエンコーダ８０４があって、それは通信チャネルＣＨ１上で通信する時に導入される信号エラーを検出および修正してデータフローへ出力するための情報を導入する。インターリーバ８０５はチャネルエンコーダ８０４から受信されるエンコードされたワードを取って、各々のエンコードされたワードの情報を複数の情報バーストへ分配する。バースト発生器８０６はインターリーバ８０５から、１つのバーストで送信すべき出力データを取り出して、その情報を用いて対応するアナログベースバンド信号を形成する。
無線送信器８０７はバースト発生器８０６からのベースバンド信号を、周波数シンセサイザ８０８によって決まる周波数を有する搬送波を変調することによって無線信号へ変換する。無線送信器８０７は変調された無線信号を適当なパワーレベルにまで増幅する。
移動局はまた、周波数シンセサイザ８０８によって決まる周波数を有する無線信号を受信する無線受信器８０９を含む。無線受信器８０９は受信した無線信号を、アナログベースバンド信号へ変換する。無線受信器８０９からの出力信号は第２Ａ／Ｄ変換器８１０によってサンプリングされる。第２Ａ／Ｄ変換器８１０からの出力データは等価器８１１によって処理されて、導入された任意の時間分散を補償する。デ・インターリーバ８１２は等価器８１１からの出力データを受信し、複数のバーストから情報を収集して、その情報からエンコードされたワードを形成する。チャネルデコーダ８１３は、デ・インターリーバ８１２からの出力データに対して、エラー検出およびエラー修正を実行する。音声デコーダ８１４はチャネルデコーダ８１３からの出力データを拡張する。Ｄ／Ａ変換器８１５は音声デコーダからの出力データを、イヤホン８１６で音を発生させるために使用されるアナログ信号へ変換する。
送信または受信が特定の時点で発生するかどうかに依存して、交換機８２３は無線送信器８０７または無線受信器８０９のいずれかをアンテナ８２４へ接続する。
移動局ＭＳ１は更に、読み出し専用メモリ（ＲＯＭ）８１８中に記憶されているプログラム命令を実行するプロセッサまたは中央演算ユニット（ＣＰＵ）８１７を含む。プロセッサ８１７は移動局ＭＳ１の動作に関して全体的な責任を持っており、プログラム命令に従ってその他のユニットを制御する。その結果は、それらユニットによって生成されるデジタルデータの形でランダムアクセスメモリ（ＲＡＭ）８１９との間で交換される。例えば、音声エンコーダ８０３からの出力データはＲＡＭ８１９中に記憶され、チャネルエンコーダ８０４はＲＡＭ８１９からのこのデータを取り出す。
移動局での時間基準として、タイミング発生器８２０が用いられる。
移動局ＭＳ１は、ユニットおよびメモリ８１８、８１９間でデータを交換するためのデータバスと、それを介してプロセッサ８１７がユニットを制御することのできる制御バスユニットとの両方を含む。これら２つのバスは図８に示されていない。上で述べたように、ユニット間でのデータ交換は、ＲＡＭ８１９中にデータを記憶し、そこからデータを取り出すことによって行われる。異なるユニット間のデータの論理的流れが図８に破線で示されている。
移動局からの測定データ報告やＢＡリストなどの制御情報は、移動局ＭＳ１とサービス基地局ＢＴＳ１との間を信号メッセージとして転送される。この情報はプロセッサ８１７からチャネルエンコーダ８０４へ与えられ、それぞれチャネルデコーダ８１３からプロセッサ８１７によって受信される。これとは別に、上の説明はこの場合も情報の送信および受信時に発生することに対応する。
移動局ＭＳ１がＢＣＣＨ搬送波の信号強度を測定すべき時には、周波数シンセサイザ８０８がＢＣＣＨ搬送波ＢＣＣＨ４の周波数に同調する。次に、無線受信器８０９がＢＣＣＨ搬送波ＢＣＣＨ４を受信する。受信されたエネルギーは信号強度測定装置８２２中に累積されて、一定の時間後に、第２Ａ／Ｄ変換器８１０が信号強度測定装置８２２を読み出す。読み出された値はＲＡＭ８１９に記憶される。
ＢＣＣＨ搬送波ＢＣＣＨ４を識別する時、まずＢＣＣＨ搬送波ＢＣＣＨ４によって運ばれる周波数修正制御チャネルが、次に同期チャネルが検出および復号化される。前記論理チャネルの検出および復号化は、割り当てられた通信チャネルＣＨ１上でサービス基地局ＢＳ１との通信のために使用されていないアイドル状態のＴＤＭＡフレーム間に実行される。周波数修正制御チャネルを検出する時は、周波数シンセサイザ８０８がＢＣＣＨ搬送波ＢＣＣＨ４の周波数に同調する。次に、無線受信器８０９が始動して、１つのＴＤＭＡフレーム全部を使ってデータを受信する。受信されたデータは第２Ａ／Ｄ変換器８１０によってデジタル形態へ変換され、次にＦＣＣＨ検出器８２１によって処理される。ＦＣＣＨ検出器からの結果はＲＡＭ８１９に記憶される。１１個の２６マルチフレームでアイドル状態のＴＤＭＡフレームでデータ収集を行った後で、プロセッサは記憶されたデータを分析して周波数修正バーストが受信されているかどうかを決定する。もしそうであれば、同期チャネルの検出・復号化へ進む前に、必要な周波数修正が移動局ＭＳ１で実行されよう。この場合も、周波数シンセサイザ８０８は、無線受信器８０９が始動して１つのＴＤＭＡフレーム全体を使ってデータの受信を行う前に、ＢＣＣＨ搬送波ＢＣＣＨ４の周波数に同調する。受信されたデータは第２Ａ／Ｄ変換器８１０によってデジタル形態へ変換される。等価器８１１がＡ／Ｄ変換器８１０からの出力データを処理する。チャネルデコーダ８１３は等価器８１１からの出力データを検索して、同期バーストを探す。チャネルデコーダ８１３からの出力データは、同期バーストが検出されたかどうかを表示し、そしてもしそうであれば、上で述べたＢＳＩＣデータも含む。同期チャネルの検出のために、１１個までの２６マルチフレームで、アイドル状態のＴＤＭＡフレームを使う必要があろう。
周波数修正バーストおよび同期バーストの両方が見いだされることがない限り、受信された無線信号はＢＣＣＨ搬送波ではない。この場合には、受信された無線信号に関連する収集された測定データは消去される。
スウェーデン国特許出願第ＳＥ−９６０２４５９−１号は、周波数修正制御チャネルおよび同期チャネルの実際の検出のための時間を、上で述べたそれらの作業を実行する既知の方法と比べて短縮する方法について述べている。
図１０は移動局ＭＳ１の機能的ブロック図である。注意すべき点は、図１０には本発明に関連する機能ブロックのみが示されていることである。移動局ＭＳ１は４つの機能ブロック：コーディネータ１００１、測定データ収集装置１００２、ＦＣＣＨ／ＳＣＨデコーダ１００３、およびＳＡＣＣＨメールボックス１００４を含む。コーディネータ機能ブロックはソフトウエア的にのみ組み込まれるが、その他の機能ブロックはハードウエアとソフトウエアの両方を含む。
測定データ収集装置１００２はＢＣＣＨ搬送波に対して信号強度測定を実行する。測定データ収集装置は、ＢＣＣＨ搬送波ＢＣＣＨ２−ＢＣＣＨ８に対して信号強度測定を実行させる命令を与えるコーディネータから信号を受信する。この信号はまた、収集された測定データをコーディネータに対してどの程度頻繁に報告すべきかについての情報を含んでおり、それはこの場合、半分のＳＡＣＣＨマルチフレーム（２４０ミリ秒）に対応する各サブインターバル後毎に実行されるべきである。測定データ収集装置１００２はＢＣＣＨ搬送波ＢＣＣＨ２−ＢＣＣＨ８の信号強度を順番に測定する。測定データ収集装置１００２によって測定すべきＢＣＣＨ搬送波ＢＣＣＨ２−ＢＣＣＨ８の各々に対して２つの変数：信号強度累積器および計数器がある。測定データ収集装置１００２がＢＣＣＨ搬送波の信号強度を測定する度に、測定値はそのＢＣＣＨ搬送波に対応する信号強度累積器へ加えられ、計数器は１だけ増分される。１つのサブインターバルが経過すると、測定データ収集装置１００２は、ＢＣＣＨ搬送波ＢＣＣＨ２−ＢＣＣＨ８の各々についての信号強度累積器および計数器の中身をコーディネータ１００１へ報告する。次に、測定データ収集装置はすべての信号強度累積器および計数器をゼロへリセットして、新しい測定値の収集を開始する。
ＦＣＣＨ／ＳＣＨデコーダ１００３はＢＣＣＨ搬送波を識別する。コーディネータ１００１が１つのＢＣＣＨ搬送波を識別すべきことを判断した時は、識別すべきＢＣＣＨ搬送波についての情報と、その識別に高い優先度が与えられるべきかあるいは低い優先度が与えられるべきかに関する情報とを含む信号がＦＣＣＨ／ＳＣＨデコーダ１００３へ送られる。もしＢＣＣＨ搬送波ＢＣＣＨ４の識別に対して低い優先度が与えられば、第２のＢＣＣＨ搬送波の識別要求がコーディネータから受信された時は、最初の識別が完了する前に識別が中断されよう。ＢＣＣＨ搬送波ＢＣＣＨ４の識別に高い優先度が与えられた場合は、その識別は常に次の識別が開始される前に完了する。ＦＣＣＨ／ＳＣＨデコーダ１００３は当業者には既知のやり方で、ＢＣＣＨ搬送波ＢＣＣＨ４によって運ばれるＢＳＩＣデータＢＳＩＣ４を読む。次に、ＦＣＣＨ／ＳＣＨデコーダはＢＣＣＨ搬送波ＢＣＣＨ４の識別ＢＳＩＣ４を含む信号をコーディネータ１００１へ送る。
ＳＡＣＣＨメールボックス１００４は、対応する制御チャネル上を通信チャネルＣＨ１によって運ばれる信号メッセージの受信および送信を処理する。
対応する制御チャネル上でサービス基地局ＢＴＳ１から信号メッセージが受信された時は、ＳＡＣＣＨメールボックス１００４は、そのメッセージ中の情報を処理するはずの、例えば、コーディネータ１００１のような機能ブロックに対して、受信されたメッセージの中身を含む信号を送信する。サービス基地局ＢＴＳ１から受信される信号メッセージの例は、ＢＡリストを含むいわゆる”システム情報５”メッセージである。
上述の、移動局ＭＳ１からの測定データ報告を含む信号メッセージは低速付随制御チャネル上を送信される。各測定期間の後、コーディネータ１００１は、ＢＣＣＨ搬送波のうちその測定期間中の信号強度平均値を報告すべきものに関するデータを含む信号をＳＡＣＣＨメールボックスへ送信する。ＳＡＣＣＨメールボックスは、次のＳＡＣＣＨマルチフレームの間に、いわゆる測定報告メッセージを送信するために低速付随制御チャネルが使用できるかどうかをチェックする。もしその制御チャネルが空いていれば、ＳＡＣＣＨメールボックスは次のＳＡＣＣＨマルチフレーム間に、前記メッセージをコンパイルおよび送信する。もしそうでなければ、コーディネータ１００１からの情報は消去される。しかし、ＳＡＣＣＨメールボックスは、必ず、少なくとも１つおきのＳＡＣＣＨマルチフレームを使用して測定報告メッセージを送信するようにする。
コーディネータ１００１は移動局ＭＳ１中の機能に関して全体的な責任を持つ。それはその他の機能ブロック１００２−１００４へ情報と命令を与え、またそこから情報を受信する。通信チャネルＣＨ１の割り当ての後、コーディネータ１００１は測定データ収集装置１００２に対して信号を送信して、ＢＡリスト上のＢＣＣＨ搬送波ＢＣＣＨ２−ＢＣＣＨ８の信号強度を測定し、またＳＡＣＣＨマルチフレームの半分に対応する各サブインターバルの後で、測定された信号強度を報告するように命令する。もし変更されたＢＡリストがＳＡＣＣＨメールボックス１００４から後で受信されれば、どのＢＣＣＨ搬送波について測定を実行すべきであるかに関する新しい情報を含む新しい信号が測定データ収集装置１００２へ送られる。
コーディネータ１００１が測定データ収集装置１００２から測定データ報告を受信する時は、それは図９に示される工程を実行する。工程９０１において、コーディネータはまず、受信された測定データ報告が、終了した測定期間に対応するものかどうかを判定する。もしそうであれば（結果がＹＥＳであれば）、工程９０２−９０６が実行される。これらの工程は図３Ａの工程３０５−３０９に対応しており、従って工程９０４および９０６以外については、これ以上詳しく説明することはしない。工程９０４では、コーディネータ１００１はＦＣＣＨ／ＳＣＨデコーダ１００３に対して信号を送信して、工程９０３で指摘されたＢＣＣＨ搬送波を識別するように命令する。与えられた命令に関連して、コーディネータ１００１はＦＣＣＨ／ＳＣＨデコーダ１００３に対して、そのＢＣＣＨ搬送波の識別が高い優先度を持つことを指示する。
工程９０６では、コーディネータ１００１は、工程９０５で選ばれたＢＣＣＨ搬送波についてのデータを含む信号をＳＡＣＣＨメールボックス１００４へ送信する。
工程９０６の後、あるいはもしも工程９０１で、受信された測定データが終了した測定期間に対応しないことが見いだされたならば（結果がＮＯであれば）、工程９０７−９１０が実行される。これらの工程は図３Ａの工程３１２−３１５に対応しており、従って、工程９１０以外については、これ以上詳しく説明することはしない。工程９１０では、コーディネータ１００１はＦＣＣＨ／ＳＣＨデコーダ１００３に対して信号を送信して、工程９０８または工程９０９で指摘されたＢＣＣＨ搬送波を識別するように命令を与える。与えられた命令に関連して、コーディネータ１００１はＦＣＣＨ／ＳＣＨデコーダ１００３に対して、そのＢＣＣＨ搬送波の識別が低い優先度を有することを指示する。
ＦＣＣＨ／ＳＣＨデコーダ１００３がそのＢＣＣＨ搬送波を識別した時は、コーディネータは、識別、すなわちそのＢＣＣＨ搬送波用のＢＳＩＣデータを含む信号をＦＣＣＨ／ＳＣＨデコーダから受信する。ＦＣＣＨ／ＳＣデコーダ１００３が、識別に失敗するか、あるいは中断された場合でも、その事象に関する情報を含む信号がコーディネータ１００１へ送信される。
１つのＢＣＣＨ搬送波がたぶん直ぐに、測定データを報告すべきＢＣＣＨ搬送波の１つになるであろうと予測するためには、いくつかの異なる方法がある。従って、本発明の方法には、図３Ａおよび図３Ｂに示された方法の他に、いくつかの実施例が存在する。本発明の付加的実施例数件について以下に説明することしよう。
図３Ａ（これについては上述した）と図３Ｃに示されるフローチャートは、本発明に従う方法の第２実施例の一例を示す。
図３Ｃにおいて、方法工程３１６−３１７および３２０は図３Ｂの工程３１０−３１１および３１５にそのまま対応しているので、図３Ｃに関連してより詳しく説明することはしない。図３Ｂと比べた時の図３Ｃの違いは、未識別ＢＣＣＨ搬送波を識別するように指摘する根拠を含む。図３Ｃでは、工程３１８において、すべてのＢＣＣＨ搬送波について、サブインターバルに亘って信号強度平均値が形成される。工程３１９では、それらのＢＣＣＨ搬送波について最後のサブインターバルに亘る信号強度平均値が互いに比較される。もし最も強い６個のＢＣＣＨ搬送波のうちでどれかが未識別であれば、測定期間に亘る信号強度平均値を考慮する時、そのＢＣＣＨ搬送波がたぶん直ぐに最も強い６個のＢＣＣＨ搬送波のうちの１つになるであろうことが予測され、従ってそのＢＣＣＨ搬送波が識別のために指摘されて（結果がＹＥＳ）、そのことが次に工程３２０で開始される。もしも最も強い６個のＢＣＣＨ搬送波のうちの１個よりも多いものが未識別であれば、それらの搬送波うちの最も強い１個が指摘される。工程３２０の後、あるいはもし工程３１９で最も強い６個のうちに未識別ＢＣＣＨ搬送波が見つからなければ（結果がＮＯ）、処理は工程３１７へ戻って、次のサブインターバルが終了するまで待機する。
図３Ａおよび図３Ｃに関連して説明した本発明の方法は、図１Ａおよび図１Ｂと、上述のように図４のサブインターバルＳ１−Ｓ４に亘る多様な信号強度平均値を示す図５Ａ−図５Ｄに示されるネットワークにおいて実現されることを仮定している。図５は、未識別ＢＣＣＨ搬送波ＢＣＣＨ４がサブインターバルＳ３に亘る最も強い６個のＢＣＣＨ搬送波のうちに含まれており、そのために移動局が、この場合には図４の時点Ｔ４でＢＣＣＨ搬送波ＢＣＣＨ４の識別を開始することになることを示している。これは従来技術の移動局と対比されよう。このような場合、従来技術の移動局は、図４の時点Ｔ５の後でＢＣＣＨ搬送波ＢＣＣＨ４の識別を開始するはずである。（図７Ａおよび図７Ｂに関連する先の議論を参照されたい。）
第３の実施例が図３Ｄに示されている。この実施例の説明は、図３Ａから始めるのが最も容易である。図３Ａのすべての方法工程３０１−３０９が含まれている。図３Ａと比べて図３Ｄで変更された部分には、工程３０６（結果がＮＯ）と工程３０８との間に挿入された新しい工程３２１が含まれる。このことは、もしも工程３０６において最も強い６個のＢＣＣＨ搬送波のうちに未識別ＢＣＣＨ搬送波が見つからなければ（結果がＮＯ）、工程３２１が実行されることを意味する。工程３２１では、未識別ＢＣＣＨ搬送波の各々について、その測定期間に亘る信号強度平均値が直前の測定期間に亘る信号強度値と比較される。もしＢＣＣＨ搬送波のどれかの信号強度平均値が、予め定められたしきい値よりも大きい値だけ増大していれば（結果がＹＥＳ）、測定期間に亘る信号強度平均値を考慮すると、そのＢＣＣＨ搬送波がたぶん直ぐに最も強いＢＣＣＨ搬送波の１つになるであろうことが予測され（結果がＹＥＳ）、工程３０７でそのＢＣＣＨ搬送波の識別が開始されることになる。逆の場合には（結果がＮＯ）、処理は工程３０８へ進む。
図３Ａおよび図３Ｃと、図３Ｄにそれぞれ関連して説明した本発明の方法に関連して使用するための移動局は、出発点として図８−１０に関連して説明した移動局ＭＳ１を用いて容易に実現できる。図１０のコーディネータの機能だけを幾分修正する必要がある。施すべき修正は当業者には明らかである。
本発明は、ＰＣＳのＧＳＭをベースとする変形である、ネットワークタイプＤＣＳ１８００およびＰＣＳ１９００を含む、ＧＳＭから派生したタイプあるいはＧＳＭタイプの通信ネットワークに適用できる。
【図１Ａ】
0003898230.tif 000002
【図１Ｂ】
0003898230.tif 000003
【図３Ａ】
0003898230.tif 000004
【図３Ｂ】
0003898230.tif 000005
【図３Ｃ】
0003898230.tif 000006
【図３Ｄ】
0003898230.tif 000007
【図２】
0003898230.tif 000008
【図４】
0003898230.tif 000009
【図５Ａ】
0003898230.tif 000010
【図５Ｂ】
0003898230.tif 000011
【図５Ｃ】
0003898230.tif 000012
【図５Ｄ】
0003898230.tif 000013
【図６】
0003898230.tif 000014
【図７Ａ】
0003898230.tif 000015
【図７Ｂ】
0003898230.tif 000016
【図８】
0003898230.tif 000017
【図９】
0003898230.tif 000018
【図１０】
0003898230.tif 000019